(57)【要約】      （修正有）【課題】防水ゲート止水壁のパッキング構造を提供する。【解決手段】主に止水柱１、止水壁、サイド結合座３、嵌合抵触ブロック４とパッキング部品５で構成する。止水柱１は側部１１に一つの縦挿嵌溝１２を設け、止水壁を縦挿嵌溝１２内に嵌める。各サイド結合座３はサイド嵌合リブ３１及び嵌合溝３２を設け、嵌合溝３２はサイド嵌合リブ３１と相隣する箇所に位置し、且つ縦挿嵌溝１２と同軸に開設する。嵌合抵触ブロック４の両端はそれぞれ外側に向けて延伸する横リブ４１であり、各横リブ４１の末端から縦方向に一つの縦リブ４２を延伸し、嵌合溝３２に嵌合する。嵌合抵触ブロック４と横リブ４１、縦リブ４２で一つの固定溝４３を形成し、固定溝４３の底部は嵌合抵触ブロック４の上面より低く、且つ固定溝３２をサイド結合座３のサイド嵌合リブ３１に套設し、サイド嵌合リブ３１の底面と固定溝４３の底部は互いに抵触する。【選択図】図１
0003189320.tif 000002
【実用新案登録請求の範囲】
【請求項１】
止水柱、止水壁、サイド結合座、嵌合抵触ブロックとパッキング部品を含み、
該止水柱の片側に一つの側部を設け、且つ側部に一つの縦挿嵌溝を設け、
該止水壁の片側を該縦挿嵌溝内に嵌め、
該複数のサイド結合座を止水柱と相隣する側部の両サイドに設置し、且つ同じ高さに位置し、且つ各サイド結合座は少なくとも一つのサイド嵌合リブ及び少なくとも一つの嵌合溝を設け、該嵌合溝はサイド嵌合リブと相隣する箇所に位置し、且つ嵌合溝の開設方向は縦挿嵌溝と同軸に開設し、
少なくとも一つの該嵌合抵触ブロックの両端はそれぞれ外側に向けて延伸する横リブであり、各横リブの末端から縦方向に一つの縦リブを延伸し、嵌合溝に嵌合し、該嵌合抵触ブロックと横リブ、縦リブで一つの固定溝を形成し、該固定溝の底部は嵌合抵触ブロックの上面より低く、且つ該固定溝をサイド結合座のサイド嵌合リブに套設し、該サイド嵌合リブの底面と固定溝の底部は互いに抵触し、
該パッキング部品に一つのネジ柱を設け、該ネジ柱は止水壁に向けた一端に一つの押板を設け、ネジ柱の別端に一つの操作棒を設け、該嵌合抵触ブロックの横リブと反対方向に延伸した部分に一つの凸ブロックを設け、該凸ブロックに一つの鍵穴を開設し、該操作棒は可動的に該鍵穴内に螺設することを特徴とする防水ゲート止水壁のパッキング構造。
【請求項２】
前記嵌合抵触ブロックは固定溝の内側に一つのサイド抵触ブロックを凸設し、サイド嵌合リブの外側を抵触することを特徴とする請求項１記載の防水ゲート止水壁のパッキング構造。
【請求項３】
前記嵌合溝の幅は溝の底部から開口の方向に向かって次第に広くすることを特徴とする請求項１記載の防水ゲート止水壁のパッキング構造。
【請求項４】
前記押板の断面積はネジ柱の断面積より大きいことを特徴とする請求項１記載の防水ゲート止水壁のパッキング構造。
【請求項５】
更に少なくとも一つの止水ゴム条を含み、該縦挿嵌槽は一つの開放辺面及び二つの互いに対応する相対辺面を形成し、且つうち一つの相対辺面は一つの細長設置レールを凹設し、該細長設置レールは底部が広く且つ開口が狭い形態を呈し、止水ゴム条の片面は一つの細長設置レールと対応する結合リブを形成し、且つ結合リブは細長設置レールの底部部分と対応する広径部、及び細長設置レールの開口部分と対応する細径部を具有することを特徴とする請求項１記載の防水ゲート止水壁のパッキング構造。
【請求項６】
止水柱、止水壁、サイド結合座、嵌合抵触ブロックとパッキング部品を含み、
該止水柱の片側に一つの側部を設け、且つ側部に一つの縦挿嵌溝を設け、
該止水壁の片側を該縦挿嵌溝内に嵌め、
該複数のサイド結合座を止水柱と相隣する側部の両サイドに設置し、且つ同じ高さに位置し、且つ各サイド結合座は少なくとも一つのサイド嵌合リブ及び少なくとも一つの嵌合溝を設け、該嵌合溝はサイド嵌合リブと相隣する箇所に位置し、該嵌合溝の開設方向は縦挿嵌溝の開設方向と同じであり、且つ嵌合溝の幅は溝の底部から開口の方向に向かって次第に広くし、
少なくとも一つの嵌合抵触ブロックの両端はそれぞれ外側に向けて延伸する横リブであり、各横リブの末端から縦方向に一つの縦リブを延伸し、嵌合溝と互いに嵌設し、該横リブの上面と嵌合抵触ブロックの上面は同じ高さであり、縦リブの上面は嵌合抵触ブロックの上面より高い。該横リブはサイド嵌合壁の底端面を抵触して押し上げ、
該パッキング部品に一つのネジ柱を設け、該ネジ柱は止水壁に向けた一端に一つの押板を設け、ネジ柱の別端に一つの操作棒を設け、該嵌合抵触ブロックの横リブと反対方向に延伸した部分に一つの凸ブロックを設け、該凸ブロックに一つの鍵穴を開設し、該操作棒は可動的に該鍵穴内に螺設することを特徴とする防水ゲート止水壁のパッキング構造。
【考案の詳細な説明】
【技術分野】
【０００１】
本考案は防水ゲート止水壁のパッキング構造に関し、特に止水壁が変位しないよう押さえることができ、止水壁の止水効果を強化する防水ゲート止水壁のパッキング構造に関する。
【背景技術】
【０００２】
一般的に低地では浸水しやすく、往々にして複数の砂袋を積み重ねることで水が室内に入るのを防ぐ。しかし、砂袋は重く運搬しにくい上に、底部は地面と密着しにくいため、止水効果は芳しくなく、事後の清掃作業も大変である。よって、関連業者は更なる止水効果の良い構造の商品を案出し続けている。
【０００３】
中華民国特許第Ｍ３７１７７９号の「止水壁ゲートパッキング装置」は、一種の止水壁のゲートパッキング装置であり、複数の挿嵌溝、一つのパッキングユニット及び押止部品を含み、挿嵌溝は予め設定した様々な高さに、且つ止水壁の柱の両サイドに対で設置する。該パッキング装置は前記挿嵌溝に可動式に設置し、コの字型部品は二本のピンを具有し、前記止水壁の柱両サイドの挿嵌溝の中に挿し込んで設置することができる。及び一つの押止部品を前記のコの字型部品の上に設置することで、伸縮自在の押止アームとなる。
【０００４】
しかし、従来技術の防水ゲートは止水壁の柱の側部に複数の挿嵌溝を形成し、コの字型部品のピンを挿し込むことで押止部品を使って中層と下層の止水壁を押さえているが、挿嵌溝と止水壁の柱の軸方向は垂直の状態である。つまり挿嵌溝の開口は止水壁の内側外側に向けた形態であり、該コの字型部品のピンはまっすぐに挿嵌溝内に差し込む形態であるため、該ピンが挿嵌溝の牽制を受ける方向は上下のみであり、左右方向は制限されていない。よって、押止部品を操作する際、或いは異物がピンにぶつかった場合に、ピンが挿嵌溝から変位する状況が生じる可能性がある。そのため、押止部品が止水壁を確実に押さえることができず、或いはピンと挿嵌溝の間に不必要な隙間ができるなど、たまった水が浸入して止水効果が悪くなり、実用性の面では効果に限りがある。よって、各方向からの牽制を受けることができ、確実に止水効果のある防水ゲート止水壁パッキング構造を案出する必要がある。
【先行技術文献】
【特許文献】
【０００５】
【特許文献１】特開２０１３−２５０１０５号公報
【考案の概要】
【考案が解決しようとする課題】
【０００６】
前記公知構造の止水壁ゲートパッキング装置の押止部品が確実に止水壁を押さえることができず、たまった水が隙間から入り込む欠点を解決するために、本考案は防水ゲート止水壁のパッキング構造を提供することを主な課題とする。
【課題を解決するための手段】
【０００７】
上述の目的を解決するために、本考案は防水ゲート止水壁のパッキング構造を提供するものである。それに含まれるのは止水柱、止水壁、サイド結合座、嵌合抵触ブロックとパッキング部品である。該止水柱の片側に一つの側部を設け、且つ側部に一つの縦挿嵌溝を設ける。該止水壁の片側を該縦挿嵌溝内に嵌める。該複数のサイド結合座は、各サイド結合座を止水柱と相隣する側部の両サイドに設置し、且つ同じ高さに位置する。また、各サイド結合座は少なくとも一つのサイド嵌合リブ及び少なくとも一つの嵌合溝を設け、該嵌合溝はサイド壁と相隣する箇所に位置し、且つ嵌合溝の開設方向は縦挿嵌溝と同軸に開設する。少なくとも一つの該嵌合抵触ブロックの両端はそれぞれ外側に向けて延伸する横リブであり、各横リブの末端から縦方向に一つの縦リブを延伸し、嵌合溝に嵌合する。該嵌合抵触ブロックと横リブ、縦リブで一つの固定溝を形成し、該固定溝の底部は嵌合抵触ブロックの上面より低い。該固定溝をサイド結合座のサイド嵌合リブに套設し、該サイド嵌合リブの底面と固定溝の底部は互いに抵触する。該パッキング部品に一つのネジ柱を設け、該ネジ柱は止水壁に向けた一端に一つの押板を設け、ネジ柱の別端に一つの操作棒を設ける。該嵌合抵触ブロックの横リブと反対方向に延伸した部分に一つの凸ブロックを設け、該凸ブロックに一つの鍵穴を開設し、該操作棒は可動的に該鍵穴内に螺設する。
【０００８】
本考案の第一実施例での更なる技術特徴は、嵌合抵触ブロックは固定溝の内側に一つのサイド抵触ブロックを凸設し、サイド嵌合リブの外側を抵触する。
【０００９】
本考案の第一実施例での更なる技術特徴は、嵌合溝の幅は溝の底部から開口の方向に向かって次第に広くする。
【００１０】
本考案の第一実施例での更なる技術特徴は、該押板の断面積はネジ柱の断面積より大きい。
【００１１】
本考案の第一実施例は更に少なくとも一つの止水ゴム条を含み、該縦挿嵌槽は一つの開放辺面及び二つの互いに対応する相対辺面を形成し、且つうち一つの相対辺面は一つの細長設置レールを凹設し、該細長設置レールは底部が広く且つ開口が狭い形態を呈す。止水ゴム条の片面は一つの細長設置レールと対応する結合リブを形成し、且つ結合リブは細長設置レールの底部部分と対応する広径部、及び細長設置レールの開口部分と対応する細径部を具有する。
【００１２】
本考案の第二実施例は一種の防水ゲート止水壁のパッキング構造である。それに含まれるのは止水柱、止水壁、サイド結合座、嵌合抵触ブロックとパッキング部品である。該止水柱の片側に一つの側部を設け、且つ側部に一つの縦挿嵌溝を設ける。該止水壁の片側を該縦挿嵌溝内に嵌める。該複数のサイド結合座は、各サイド結合座を止水柱と相隣する側部の両サイドに設置し、且つ同じ高さに位置する。また、各サイド結合座は少なくとも一つのサイド嵌合リブ及び少なくとも一つの嵌合溝を設け、該嵌合溝はサイド嵌合リブと相隣する箇所に位置し、該嵌合溝の開設方向は縦挿嵌溝の開設方向と同じである。且つ嵌合溝の幅は溝の底部から開口の方向に向かって次第に広くする。少なくとも一つの嵌合抵触ブロックの両端はそれぞれ外側に向けて延伸する横リブであり、各横リブの末端から縦方向に一つの縦リブを延伸し、嵌合溝と互いに嵌設する。該横リブの上面と嵌合抵触ブロックの上面は同じ高さであり、縦リブの上面は嵌合抵触ブロックの上面より高い。該横リブはサイド嵌合壁の底端面を抵触して押し上げる。該パッキング部品に一つのネジ柱を設け、該ネジ柱は止水壁に向けた一端に一つの押板を設け、ネジ柱の別端に一つの操作棒を設ける。該嵌合抵触ブロックの横リブと反対方向に延伸した部分に一つの凸ブロックを設け、該凸ブロックに一つの鍵穴を開設し、該操作棒は可動的に該鍵穴内に螺設する。
【考案の効果】
【００１３】
本考案の防水ゲート止水壁のパッキング構造は主に止水柱、止水壁、サイド結合座、嵌合抵触ブロックとパッキング部品で構成し、各部品を嵌合することによって生じる上下と左右から押さえる力により、止水壁は設置する過程において力を入れる、叩く、或いは浸水によって止水壁に圧力を与えたり、漂流物が止水壁にぶつかったりするなどの状況があっても変位して緩むことなく、止水効果を強化する。
【図面の簡単な説明】
【００１４】
【図１】本考案の第一実施例の立体図である。
【図２】本考案の第一実施例の立体分解図である。
【図３】本考案の第一実施例の使用状態図である。
【図４】本考案の組立止水壁の略図である。
【図５】本考案の第一実施例の嵌合抵触ブロックにサイド抵触ブロックを凸設する立体図である。
【図６】本考案の第二実施例の立体図である。
【考案を実施するための形態】
【００１５】
本考案は前記目的と効果に達するため、採用する技術手段と構造を最良実施例と図面を参照しながら詳細に説明する。
【実施例１】
【００１６】
図１から図４に示すように、本考案の第一実施例は一種の防水ゲート止水壁のパッキング構造である。それに含まれるのは止水柱１、止水壁２、サイド結合座３、嵌合抵触ブロック４とパッキング部品５である。該止水柱１の片側に一つの側部１１を設け、且つ側部１１に一つの縦挿嵌溝１２を設ける。該止水壁２の片側を該縦挿嵌溝１２内に嵌める。該複数のサイド結合座３は、本実施例では二つのサイド結合座３を相対する位置に設置し、各サイド結合座３を止水柱１と相隣する側部１１の両サイドに設置し、且つ同じ高さに位置する。また、各サイド結合座３は少なくとも一つのサイド嵌合リブ３１及び少なくとも一つの嵌合溝３２を設け(本実施例の両サイドは左右の嵌合溝３２を設ける)、該嵌合溝３２はサイド嵌合リブ３１と相隣する箇所に位置し、該嵌合溝３２の開設方向は縦挿嵌溝１２と同軸に開設する。該嵌合抵触ブロック４の両端はそれぞれ外側に向けて延伸する横リブ４１であり、各横リブ４１の末端から縦方向に一つの縦リブ４２を延伸し、嵌合溝３２に嵌合する。該嵌合抵触ブロック４と横リブ４１、縦リブ４２で一つの固定溝４３を形成し、該固定溝４３の開口は上に向き、固定溝４３の底部は嵌合抵触ブロック４の上面より低い。該固定溝４３をサイド結合座３のサイド嵌合リブ３１に套設し、該嵌合リブ３１の底面と固定溝４３の底部は互いに抵触する。該パッキング部品５に一つのネジ柱５１を設け、該ネジ柱５１は止水壁２に向けた一端に一つの押板５２を設け、ネジ柱５１の別端に一つの操作棒５３を設ける。該嵌合抵触ブロック４の横リブ４１と反対方向に延伸した部分に一つの凸ブロック５４を設け、該凸ブロック５４に一つの鍵穴５５を開設し、該操作棒５３は可動的に該鍵穴５５内に螺設する。
【００１７】
それにより、該嵌合抵触ブロック４の縦リブ４２は上向きにサイド結合座３の嵌合溝３２に挿設し、同時に固定溝４３もまた上向きにサイド嵌合リブ３１を套設することで両者が互いに抵触する。縦リブ４２及びサイド嵌合リブ３１により、それぞれ嵌合溝３２及び固定溝４３の各方向、特に両サイドのスペーシングを受ける。該嵌合抵触ブロック４の別端にある操作棒５３の押板５２は下向きに止水壁２の上端を押し、且つ操作棒５３を介して押板５２が止水壁２を押す強度を調整する。よって、縦リブ４２、固定溝４３の上向きの力は嵌合溝３２及びサイド嵌合リブ３１にのみ施し、一方パッキング部品５の押板５２は下向きに止水壁２を押す。このように上下からの力により、嵌合抵触ブロック４がしっかりと止水壁２を抑えて簡単に揺らいで緩むことがない。抵触力は嵌合抵触ブロック４がサイド結合座３から歪むことなく、同時にサイド嵌合リブ３１もまた歪む防止の効果を強化するため、例え設置する過程において力を入れる、叩く、或いは浸水によって止水壁２に圧力を与えたり、漂流物が止水壁２にぶつかったりするなどの状況があっても、嵌合抵触ブロック４は変位することなく、確実に漏れ防止の効果がある。また、パッキング部品５のネジ柱５１は鍵穴５５に相対して上下に移動できることで、押板５２が止水壁２の上端を押さえる力を調整する。
【実施例２】
【００１８】
本考案の図５、図６に示すのは、本考案の第二実施例である。主な部品は第一実施例と同じであるため、再度言及せず、下記の異なる構造についてのみ説明をする。該嵌合抵触ブロック６の両端はそれぞれ外側に向けて延伸する横リブ６１であり、各横リブ６１の末端から縦方向に一つの縦リブ６２を延伸し、嵌合溝３２と互いに嵌設する。該横リブ６１の上面と嵌合抵触ブロック６の上面は同じ高さであり、縦リブ６２の上面は嵌合抵触ブロック６の上面より高い。該横リブ６１はサイド嵌合壁３１の底端面を抵触して押し上げる。
【００１９】
横リブ６１と嵌合抵触ブロック６の上面が同じ高さであり、縦リブ６２のみが上向きに延伸する構造により、嵌合抵触ブロック６が上下からの作用力を受ける際に、比較的堅固な構造によって支えられ、簡単に外力の力を受けて断裂しにくい。この他、縦リブ６２は第一実施例と同じく、縦リブ６２が嵌合溝３２に嵌設することで、スペーシングの効果に達し、それにより嵌合抵触ブロック６が簡単に外力を受けて変位せず、有効的に止水壁２を抑えて漏れ防止の効果に達する。
【００２０】
図５に示すように、本考案の嵌合抵触ブロック４は固定溝４３の内側に一つのサイド抵触ブロック４４を凸設し、サイド嵌合リブ３１の外側を抵触する。該サイド抵触ブロック４４は横リブ４１より高く、且つ嵌合抵触ブロック４の上端より低い。サイド抵触ブロック４４はサイド結合座３の外側を抵触することで、嵌合抵触ブロック４が変位するのを防止する効果に達する。
【００２１】
この他、嵌合溝３２の幅は溝の底部から開口の方向に向かって次第に広くすることで、異なる幅の縦リブ４２を嵌設することができる。
【００２２】
特別に言及したいことは、該押板５２の断面積はネジ柱５１の断面積より大きく、それにより押板５２と止水壁２が互いに接触する面積が比較的大きくなるため、押板５２が下向きに止水壁２を押す力が大きくなる。
【００２３】
また、該縦挿嵌槽１２は一つの開放辺面１２１及び二つの互いに対応する相対辺面１２２を形成し、且つうち一つの相対辺面１２２は一つの細長設置レール１２３を凹設し、該細長設置レール１２３は底部が広く且つ開口が狭い形態を呈す。止水ゴム条７の片面は一つの細長設置レール１２３と対応する結合リブ７１を形成し、且つ結合リブ７１は細長設置レール１２３の底部部分と対応する広径部７１１、及び細長設置レール１２３の開口部分と対応する細径部７１２を具有し、よって、止水ゴム条７は結合リブ７１を通じて止水柱１の側部１１の内面に掛止する。止水壁２を側部１１に挿入するとき、該止水ゴム条７は止水壁２と止水柱１の隙間を塞ぐことができ、徹底的に防水と漏れ防止の効果に達する。
【００２４】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２５】
１  止水柱
１１  側部
１２  縦嵌挿溝
１２１  開放辺面
１２２  相対辺面
１２３  細長設置レール
２  止水壁
３  サイド結合座
３１  嵌合リブ
３２  嵌合溝
４  嵌合抵触ブロック
４１  横リブ
４２  縦リブ
４３  固定溝
４４  サイド抵触ブロック
５  パッキング部品
５１  ネジ柱
５２  押板
５３  操作棒
５４  凸ブロック
５５  鍵穴
６  嵌合抵触ブロック
６１  横リブ
６２  縦リブ
７  止水ゴム条
７１  結合リブ
７１１  細径部
７１２  広径部
【図１】
0003189320.tif 000003
【図２】
0003189320.tif 000004
【図３】
0003189320.tif 000005
【図４】
0003189320.tif 000006
【図５】
0003189320.tif 000007
【図６】
0003189320.tif 000008